(57)【要約】【課題】  プリント装置において、プリントペーパＰ１の搬送時の位置ずれ、特に蛇行量を自動で検出できるようにして、これにより搬送機構の調整を容易に且つ正確に行えるようにする。【解決手段】  画像の位置を検出可能な反射型のセンサＳをプリントヘッドＨと一体に設ける。プリントペーパＰ１の搬送方向（副走査方向Ｙ）に直線的に延びる調整用パターンＡＰを印刷するとともに、これをセンサＳにより走査して、該調整用パターンＡＰのペーパ幅方向（主走査方向Ｘ）の位置を搬送方向の先頭から最後尾までに亘って、プリントペーパＰ１の１回の送り量毎に検出する。この検出結果に基づいて、印刷された調整用パターンＡＰの歪みΔＸを検出し、この歪みΔＸの大きさに基づいて、印刷搬送時のプリントペーパＰ１の位置ずれ量（蛇行量）を定量的に検出する。【選択図】      図７
2005335889.tif 000002
【特許請求の範囲】
【請求項１】
プリントシートを搬送しながら、これに画像を印刷するようにしたプリント装置であって、
予め設定された画像データに基づいて前記プリントシート上に、少なくともその搬送方向に所定以上の長さを有する調整用画像を印刷する調整用画像作成手段と、
前記印刷された調整用画像の前記搬送方向に互いに離れた少なくとも２点において、該搬送方向と直交するシート幅方向の位置をそれぞれ検出する画像位置検出手段と、
前記画像位置検出手段によりシート幅方向位置が検出された調整用画像の各点相互の位置関係を、前記画像データにおいて対応する各点相互の位置関係と対比し、その位置関係の変化に基づいて、前記プリントシートの搬送に伴うシート幅方向への位置ずれ量を検出する搬送ずれ量検出手段と、
を備えることを特徴とするプリント装置。
【請求項２】
請求項１に記載のプリント装置において、
調整用画像はプリントシートの搬送方向に直線的に延びるものであり、
搬送ずれ量検出手段は、前記調整用画像における各位置検出点間のシート幅方向の位置偏差に基づいて、プリントシートの位置ずれ量を検出するものであることを特徴とするプリント装置。
【請求項３】
請求項２に記載のプリント装置において、
プリントシートは、略一定の単位搬送量で断続的に搬送されるものであり、
画像位置検出手段は、調整用画像の搬送方向前端部から後端部に亘って、前記単位搬送量に対応する略一定の間隔を空けて当該調整用画像のシート幅方向位置を検出するものであることを特徴とするプリント装置。
【請求項４】
請求項１〜３のいずれか１つに記載のプリント装置において、
プリントシートを幅方向に走査するプリントヘッドが設けられ、
前記プリントヘッドには、前記プリントシート及びその上の画像の位置をそれぞれ検出するためのセンサが配設され、
画像位置検出手段は、前記センサからの信号に基づいて調整用画像のプリントシートに対する相対位置を検出するものであることを特徴とするプリント装置。
【請求項５】
請求項４に記載のプリント装置において、
センサは、プリントヘッドにおいてプリントシートの搬送方向前側寄りに配設され、
画像位置検出手段は、調整用画像を印刷するための前記プリントヘッドの走査と同時に前記センサからの信号を取得するものであることを特徴とするプリント装置。
【請求項６】
請求項４に記載のプリント装置において、
センサからの信号に基づいて、所定の搬送期間を空けて少なくとも２回、プリントシートの位置を検出するプリントシート位置検出手段をさらに備え、
搬送ずれ量検出手段は、前記プリントシート位置検出手段による検出結果に基づいて、プリントシートの位置ずれ量を検出するものであることを特徴とするプリント装置。
【請求項７】
請求項１〜６のいずれか１つに記載のプリント装置において、
搬送ずれ量検出手段によって検出されたプリントシートの位置ずれ量に応じて、該プリントシートの搬送機構を調整する搬送機構調整手段をさらに備えることを特徴とするプリント装置。
【発明の詳細な説明】
【技術分野】
【０００１】
本発明は、シート状のプリント部材（プリントシート）を搬送しながら、これに画像を印刷するようにしたプリント装置に関する。
【背景技術】
【０００２】
従来より、複数のローラによりプリント用紙を搬送するようにしたプリント装置においては、それら搬送ローラやガイド部材等に僅かな位置ずれがあると、プリント用紙が本来の搬送方向からずれて傾いたり、或いは少しずつ用紙幅方向に片寄ってしまい、これによりプリント画像の品質が損なわれることが知られている。このような問題に対し、通常はテストプリントを行い、その結果を観察して搬送ローラ等の位置を調整するようにしている。
【０００３】
例えば、特許文献１に記載のものでは、プリント装置の露光ユニットよりも搬送経路上流側に印字ユニットを配設し、これにより印画紙の裏面に所定のテスト用印字を行うとともに、前記露光ユニットにより印画紙の表面にもテスト用画像を印刷する。そして、そうして印刷した印画紙を目視等により観察し、前記テスト用印字の状態に基づいて、印字ユニットまでの上流側の搬送経路における印画紙の傾きや片寄りを、また、前記テスト用画像に基づいて、前記印字ユニットから露光ユニットまでの経路における傾きや片寄りを、それぞれ検出するようにしている。
【０００４】
そのように印画紙の傾きや片寄りが搬送経路のどこで発生しているかを或る程度、特定して検出することができれば、これを軽減するための機械的調整に要する時間を短縮することができる。
【０００５】
また、例えば特許文献２には、シートロールから引き出した記録シートを搬送しながら、プリントヘッドによりインクを吹き付けて画像を印刷するようにしたインクジェット式のプリンタにおいて、シートロールからプリントヘッドまでの搬送経路の途中に配設したセンサにより記録シートの片寄り（斜行）を検出し、これに応じてロールずれ補正モータを作動させて、前記シートロールの位置を修正することにより、記録シートの片寄りを軽減して、ジャム等の発生を未然に防止するという技術が開示されている。
【特許文献１】特開２００３−２９３５１号公報
【特許文献２】特開平５−２４２９２号公報
【発明の開示】
【発明が解決しようとする課題】
【０００６】
ところが、前記特許文献１のようにテストプリントを観察して、搬送時の印画紙の傾きや片寄りを検出するようにした場合、単に傾きや片寄りを発見することは比較的容易であっても、その度合いを定量的に読み取ることは非常に難しい。そのため、熟練した作業者であっても１回のテストプリントを基に十分な調整を行うことはできず、テストプリントの観察と調整作業とを何度も繰り返し行っているのが実状である。
【０００７】
この点、前記特許文献２に開示される技術のように、センサにより記録シートの片寄りを定量的に検出するようにすれば、これに応じて適切な調整を比較的容易に行うことができ、さらに、同文献のように自動で調整することも可能である。
【０００８】
しかし、同文献のものでは、単に搬送途中の記録シートの位置を１カ所で検出しているだけなので、この記録シート全体が徐々に片寄っていく現象（いわゆる斜行）を検出することはできても、記録シートの一部が局所的に傾いたり片寄ったりして、その後に元に戻ってしまうときには（いわゆる蛇行）、これを検出することはできないものである。
【０００９】
そして、一般的に、プリントヘッドや露光ユニット等の近傍にはプリントシートを印刷台に押し当てるためのローラが配設されており、例えば、そのローラによるプリントシートの押圧力に偏りがあると、これによりプリントシートが蛇行して、ちょうど画像の形成が行われる部位で局所的に傾いたり、片寄ったりすることがある。こうなると、印刷画像の一部に微小な歪みを生じることになり、この歪み自体は目視で認められるものではなくても、粒状性等、画像の風合いが一部において変化してしまい、画像品質が損なわれるのである。
【００１０】
本発明は斯かる点に鑑みてなされたものであり、その目的とするところは、プリント装置においてプリントシートの搬送時の位置ずれ、特に蛇行量を自動で検出できるようにして、これにより搬送機構の調整を容易に且つ正確に行えるようにすることにある。
【課題を解決するための手段】
【００１１】
前記の目的を達成するために、本発明では、プリント装置にセンサを設けて、プリントシートに印刷した調整用画像のシート幅方向の歪みを検出し、この歪みの大きさに基づいて、印刷搬送時のプリントシートの位置ずれを定量的に求めるようにした。
【００１２】
具体的に、請求項１の発明は、プリントシートを搬送しながら、これに画像を印刷するようにしたプリント装置を対象として、予め設定された画像データに基づいて前記プリントシート上に少なくともその搬送方向に所定以上の長さを有する調整用画像を印刷する調整用画像作成手段と、前記印刷された調整用画像の前記搬送方向に互いに離れた少なくとも２点において前記搬送方向と直交するシート幅方向の位置をそれぞれ検出する画像位置検出手段と、この画像位置検出手段によりシート幅方向位置が検出された調整用画像の各点相互の位置関係を、前記画像データにおいて対応する各点相互の位置関係と対比し、その位置関係の変化に基づいて、前記プリントシートの搬送に伴うシート幅方向への位置ずれを検出する搬送ずれ量検出手段と、を備える構成とする。
【００１３】
前記の構成により、プリント装置の搬送機構を調整するときには、まず、調整用画像作成手段による該プリント装置の作動制御が行われ、予め設定された画像データに基づいてプリントシート上に調整用画像が印刷される。この調整用画像のうちの前記搬送方向に互いに離れた少なくとも２点において、それぞれシート幅方向の位置が画像位置検出手段によって検出される。
【００１４】
そして、搬送ずれ量検出手段により、前記調整用画像の各位置検出点相互の位置関係が前記画像データにおいて対応する各点相互の位置関係と対比され、その位置関係の変化、即ち、印刷された調整用画像の画像データに対する歪みに基づいて、プリントシートの搬送時の位置ずれが定量的に検出される。こうして印刷搬送時のプリントシートの位置ずれ量が求まれば、これに基づいて、搬送機構の調整を比較的容易に且つ正確に行うことができる。
【００１５】
ここで、前記調整用画像は、プリントシートの搬送方向に略直線的に延びるものとするのが好ましい（請求項２の発明）。こうすれば、調整用画像において例えば搬送方向に離れた２点間のシート幅方向位置偏差が略そのまま、その２点間におけるプリントシートのシート幅方向への位置ずれ量を表すものとなるので、搬送ずれ量検出手段は、前記調整用画像における各位置検出点間のシート幅方向の位置偏差に基づいて、プリントシートのシート幅方向への位置ずれ量を容易に検出することができる。
【００１６】
より具体的に、前記プリントシートが略一定の単位搬送量で断続的に搬送されるものである場合、前記画像位置検出手段は、調整用画像の搬送方向前端部から後端部に亘って、前記単位搬送量に対応する略一定の間隔を空けて当該調整用画像のシート幅方向位置を検出するものとするのが好ましい（請求項３の発明）。
【００１７】
そのように、調整用画像の各点間の位置偏差を搬送方向について十分に細かな間隔で検出することで、プリントシートの搬送に伴う局所的な位置ずれも漏らさず検出することができる。そして、例えば、隣り合う２つの位置検出点間の搬送方向間隔と両者のシート幅方向位置偏差とに基づいて、プリントシートの蛇行を定量的に検出することができる。
【００１８】
特に、前記プリント装置において、プリントシートを幅方向に走査するプリントヘッドが設けられている場合には、このプリントヘッドに、前記プリントシート及びその上の画像の位置をそれぞれ検出するためのセンサを配設し、このセンサからの信号に基づいて、前記画像位置検出手段により前記調整用画像のプリントシートに対する相対位置を検出するようにすればよい（請求項４の発明）。
【００１９】
こうすれば、プリントヘッドによりプリントシートを走査して、画像を印刷するための機構を利用して、センサにより調整用画像を走査してその位置を検出することができる。
【００２０】
また、好ましくは、前記センサをプリントヘッドにおいてプリントシートの搬送方向前側寄りに配設するとともに、画像位置検出手段を、調整用画像を印刷するための前記プリントヘッドの走査と同時に、前記センサからの信号を取得するものとすればよい（請求項５の発明）。こうすれば、調整用画像の印刷とその走査とが略同時に行えるので、プリント装置の調整に要する時間を短縮できる。
【００２１】
上述の如き構成のプリント装置において、さらに、前記センサからの信号に基づいて、所定の搬送期間を空けて少なくとも２回、プリントシートの位置を検出するプリントシート位置検出手段を備え、搬送ずれ量検出手段を、前記プリントシート位置検出手段による検出結果からプリントシートの位置ずれ量を検出するものとしてもよい（請求項６の発明）。すなわち、プリントシートの斜行量を検出するだけであれば、画像の歪みを検出する必要はなく、搬送中のプリントシートの幅方向への遷移量を検出すればよいからである。
【００２２】
また、前記プリント装置において、前記搬送ずれ量検出手段によって検出されたプリントシートの位置ずれ量に応じて、該プリントシートの搬送機構を調整する搬送機構調整手段をさらに備えることが好ましい（請求項７の発明）。こうすれば、プリント装置の調整がさらに容易なものとなる。
【発明の効果】
【００２３】
以上、説明したように、本発明に係るプリント装置によると、プリントシートに印刷した調整用画像のシート幅方向の位置（プリントシートに対する相対位置）を搬送方向に離れた複数箇所においてそれぞれ検出し、これにより求めた調整用画像の歪みの大きさから印刷搬送時のプリントシートの蛇行を定量的に検出することができる。こうして求められた蛇行量に応じて、搬送機構の調整を比較的容易に且つ正確に行うことができる。
【発明を実施するための最良の形態】
【００２４】
以下、本発明の実施形態を図面に基づいて詳細に説明する。
【００２５】
［全体構成］
図１に示すように、本発明の実施形態に係るインクジェット式のプリント装置は、画像データの取得及びオーダ情報の取得を行い必要な補正処理等を行う受付ブロックＡと、その受付ブロックＡから通信ケーブル１を介して伝送される画像データをオーダ情報に基づきプリントペーパＰ（プリントシート）に対して印刷を行うプリントブロックＢとを備えている。
【００２６】
［受付ブロック］
受付ブロックＡは、ワゴン型のフレーム５の上部に設けられた受付装置６と、表示画面がタッチパネル７によって構成されている液晶型のディスプレイ８と、フレーム５の上下方向の中間位置に設けられたフラットベッドスキャナＦＳとを備えている。受付装置６の前面部には、フラッシュメモリから成る記録媒体Ｍｓに保存された画像データを読み出すための半導体ドライブ９と、ＣＤ−ＲやＤＶＤ等のディスク型の記録媒体Ｍｄに保存された画像データを読み出すためのディスクドライブ１０とが配設されている。
【００２７】
フラットベッドスキャナＦＳは、透明ガラス製のスキャニングテーブル１３とそのスキャニングテーブル１３の下側に配置されたスキャニングヘッド１４とを有する本体部１１と、その本体部１１に開閉自在に取り付けられたプラテンカバー１２とを備えている。スキャニングヘッド１４は主走査方向に配設された複数の光電変換素子（例えば、ＣＣＤ等）と光源とを備えていて、主走査方向と直交する副走査方向に移動することによりスキャニングテーブル１３に載せられたスキャニング対象物の画像をＲ（赤）・Ｇ（緑）・Ｂ（青）の三原色に色分解した画像データとして取り込むように構成されている。
【００２８】
［プリントブロック］
図１及び図２に示すように、プリントブロックＢは、筐体１５と、その筐体１５の下部に配置された２つのマガジン収容部Ｂａ，Ｂａと、筐体１５の上部に配置され且つプリントペーパＰに対して画像データの記録を行うプリント部Ｂｂと、筐体１５の側部に配置されたインク貯留部Ｂｃとを備えている。筐体１５の上面部には、横送りベルト１６によって送り出された、小サイズの印刷済みプリントペーパＰSを受け止める仕分け部１７と、大サイズの印刷済みプリントペーパＰLを受け止めるラック板１８とが配設されている。
【００２９】
マガジン収容部Ｂａは、前壁体１５Ａのスライド移動に伴いスライド移動するドロワー２０を備えていて、そのドロワー２０にペーパマガジン２１によって保持されたロール状のプリントペーパＰ１，Ｐ２を収容するよう構成されている。図２に示すように、下側のマガジン収容部Ｂａには相対的に幅の広いプリントペーパＰ１が１つ収容され、一方、上側のマガジン収容部Ｂａには、前記広幅のプリントペーパＰ１の半分以下の幅のプリントペーパＰ２が幅方向に並んで２つ収容されている。
【００３０】
プリント部Ｂｂは、壁体１５Ｂ内に設けられ且つプリントペーパＰに対して微小なインク滴を吹き付けて画像を印刷するためのプリントヘッドＨを備えている。このプリントヘッドＨの構造については後述するが、吹き付けられたインク滴はそれぞれプリントペーパＰ上に微小な画像ドットを形成し、このドットの集合として画像が構成される。
【００３１】
インク貯留部Ｂｃは、壁体１５Ｃ内に挿抜可能に収容され且つ色相が互いに異なる７つのインクカートリッジ２３，…を備えている。これらのインクカートリッジ２３，…は、挿抜することにより新しいインクカートリッジ２３に交換することができる。これらのインクカートリッジ２３，…には夫々、イエロー（Ｙ）、マゼンダ（Ｍ）、シアン（Ｃ）、ブラック（Ｋ）、レッド（Ｒ）、バイオレット（Ｖ）及びクリア（ＣＬ：透明インク）のインクが封入されている。なお、壁体１５Ｃは、鉛直方向に延びる軸芯周りに揺動開閉自在に構成されている。
【００３２】
［ペーパ搬送機構］
図３に示すように、ペーパ搬送機構は、供給ユニットＵ１、プリントユニットＵ２、ループ形成ユニットＵ３、カッターユニットＵ４、反転ユニットＵ５及び排出ユニットＵ６を備えている。そして、ペーパ搬送機構では、プリントペーパＰ１，Ｐ２に画像を印刷するときには、２つのマガジン収容部Ｂａ，Ｂａのうちいずれか一方のプリントペーパＰ１，Ｐ２を供給ユニットＵ１によってプリント部Ｂｂに対して供給し、それから、供給されるプリントペーパＰ１，Ｐ２をプリントユニットＵ２において搬送しながら、プリントヘッドＨによりインクを吹き付けて画像を印刷し、その後、プリントペーパＰ１，Ｐ２をループ形成ユニットＵ３からカッターユニットＵ４に送ってプリントサイズに切断した後、反転ユニットＵ５及び排出ユニットＵ６によって横送りベルト１６又はラック板１８に対して送り出す。
【００３３】
以下、広幅のプリントペーパＰ１について具体的に説明すると、供給ユニットＵ１は、ペーパマガジン２１に収容されたプリントペーパＰ１に回転力を付与する支持ローラ２５と、プリントペーパＰ１をペーパマガジン２１からプリントユニットＵ２に搬送するための圧着型の供給ローラ２６と、その供給ローラ２６によって搬送されるプリントペーパＰ１を案内するガイド部材（図示せず）とを備えている。支持ローラ２５と供給ローラ２６とは供給搬送用の電動モータによって駆動される。
【００３４】
プリントユニットＵ２は、図４及び図７にも示すように、プリントヘッドＨを主走査方向Ｘ（ペーパ搬送方向に直交するペーパ幅方向）に案内するガイドレール２８と、プーリ２９に巻かれ且つプリントヘッドＨをガイドレール２８に沿って往復移動させるための駆動ベルト３０と、プリントペーパＰ１をプリントヘッドＨによる画像の印刷が可能な位置に吸着保持するペーパ保持部Ｄ（図４，７には示さず）と、そのペーパ保持部Ｄの上下両側にそれぞれ配設された圧着型のプリント搬送ローラ３１ａ，…３１ｂ，…とを備えている。ペーパ保持部Ｄは、厚み方向に複数の孔が形成された案内プレート３２と、筐体３３内に設けられ且つプリントペーパＰ１に対して案内プレート３２の孔を介して負圧を与えるためのファン３４とを備えている。
【００３５】
搬送ローラ３１ａ，…３１ｂ，…は、いずれも、プリントペーパＰ１の巻き着けられる相対的に大径のローラと、この大径ローラに対してプリントペーパＰ１を押し当てるように並設された複数の小径ローラとが組み合わされたもので、搬送経路の下流側（プリントペーパＰ１の搬送方向前側）即ち図の上側に位置するものでは、１つの大径ローラと３つの小径ローラとからなるローラ組がペーパ幅方向（左右）に並んで一対、配設され、同様に、搬送経路の上流側（搬送方向後側）即ち図の下側に位置するものでは、１つの大径ローラと２つの小径ローラとからなるローラ組が左右一対、配設されている。
【００３６】
そして、前記搬送ローラ３１ａ，…３１ｂ，…は、例えばステッピングモータ等の電動モータにより略一定のピッチで回転駆動されて、プリントペーパＰ１をペーパ保持部Ｄの案内プレート３２上で、プリントヘッドＨによる主走査方向Ｘへの往復走査と同期して、副走査方向Ｙに略一定の送り量（単位搬送量）で断続的に搬送する。この際、プリントペーパＰ１の幅方向両側にそれぞれ配置されたローラ３１ａ，…３１ｂ，…はいずれも同位相で回転され、これによりプリントペーパＰ１が前記副走査方向Ｙに真っ直ぐに搬送されるようになっている。
【００３７】
また、図示しないが、相対的に幅の狭いプリントペーパＰ２，Ｐ２の搬送時には、前記した広幅のプリントペーパＰ１の場合とは異なり、左右の各搬送ローラ３１ａ，…３１ｂ，…がそれぞれプリントペーパＰ２，Ｐ２を搬送することになる。
【００３８】
なお、プリントユニットＵ２（プリント部Ｂｂ）では、広幅のプリントペーパＰ１に対してその幅方向に並べて複数の画像を印刷することがあり、その際には、該プリントペーパＰ１の幅方向に互いに所定の間隔を開けて画像を印刷すると共に、その隣り合う画像の間の領域に切断マークを形成する。
【００３９】
図３に示すように、ループ形成ユニットＵ３は、下流側のプリント搬送ローラ３１の下流側に配置されたガイド板３６と、そのガイド板３６によって案内されたプリントペーパＰ１を搬送するための圧着型の中間ローラ３７とを備えている。ガイド板３６は、ほぼ水平方向に延びる水平姿勢（図３の一点鎖線）と鉛直方向に延びる開放姿勢（図３の実線）とに切換自在に構成されている。そして、ループ形成ユニットＵ３では、長尺のプリントペーパＰ１をプリントする際には、プリントペーパＰ１の先端部を水平姿勢のガイド板３６を介して中間ローラ３７に受け渡した後、中間ローラ３７によるプリントペーパＰ１の搬送を停止し、それから、ガイド板３６を水平姿勢から開放姿勢に切り換え、プリントペーパＰ１を垂れ下がった状態にしてループを形成する。
【００４０】
カッターユニットＵ４は、固定刃３９と、可動刃４０と、反射型のセンサを有するカット位置センサ４１と、プリントペーパＰ１を送り出すための圧着型の送り出しローラ４２とを備えている。そして、カッターユニットＵ４でプリントペーパＰ１を切断する際には、カット位置センサ４１の検出結果に基づき、上述の如くプリントユニットＵ２において形成された切断マークを基準として、プリントペーパＰ１の幅方向に隣り合う画像同士の間隔よりも僅かに広い間隔となるように、その画像間の領域を取ることにより、縁なしプリントでも画像の周囲に余白を残さないように切断することができる。
【００４１】
図３に示すように、反転ユニットＵ５は、プリンタペーパＰ１を圧着する一対の反転ローラ４３と、この反転ローラ４３を正・逆回転させる搬送駆動機構（図示せず）と、その反転ローラ４３を所定の軸芯周りに９０度回転させる反転機構とを備えている。そして、反転ユニットＵ５では、カッターユニットＵ４によって先端側から送り込まれたプリントペーパＰ１を、その後端部が反転ローラ４３の位置まで来るように該反転ローラ４３によって搬送した後、図３に矢印で示すように反転ローラ４３を軸芯周りに９０度回転させ、それから、反転ローラ４３を逆回転させることによりプリントペーパＰ１をその後端部から排出ユニットＵ６に送り出す。
【００４２】
排出ユニットＵ６は、プリントペーパＰ１を搬送するための複数の圧着型排出ローラ４４，…と、それら搬出ローラ４４，…によって搬送されたプリントペーパＰ１を横送りベルト１６及びラック板１８のうちいずれか一方に送り出すための経路切換機構（図示せず）とを備えている。
【００４３】
［プリントヘッド］
図３，５に示すように、プリントヘッドＨは、その底部側に多数のインク吐出ノズルを配列して備えたヘッドユニット５１が３段に取り付けられたものであり、便宜上、３段に備えられるヘッドユニット５１のうち、搬送経路の下流側、即ち図の上段のものを第１ヘッドユニット５１ａ、中段のものを第２ヘッドユニット５１ｂと称し、また、下段のものを第３ヘッドユニット５１ｃと称する。
【００４４】
本実施の形態では、ヘッドユニット５１は全て同じ仕様のものであり、各ヘッドユニット５１は、図５に示すように、イエロー（Ｙ）、マゼンダ（Ｍ）、シアン（Ｃ）、ブラック（Ｋ）、レッド（Ｒ）、バイオレット（Ｖ）及びクリア（ＣＬ）の各色のインク滴をそれぞれ吐出する７つのノズルアレイ５４を備えている。これら各ノズルアレイ５４は、それぞれ、インク吐出ノズルがプリントヘッドＨにおいて主走査方向Ｘに直交する副走査方向Ｙに列状に配設されたものである。
【００４５】
また、前記プリントヘッドＨにおけるプリントペーパＰ１の搬送方向前側部には、光源からプリントペーパＰ１の画像に向かって照射された光の反射光を受光し、その受光量に基づいて画像の光学濃度を検出するための反射型のセンサＳが取り付けられている。このセンサＳは、プリントヘッドＨと共に主走査方向に往復走査して、後述するように、プリントペーパＰ１の幅方向（左右）両端部の位置をそれぞれ検出するとともに、該プリントペーパＰ１上に印刷された調整用パターンＡＰ（調整用画像）の左右両端部の位置をそれぞれ検出する。ここで、センサＳにより直接、検出される位置というのは、ペーパ保持部Ｄの案内プレート３２上面を基準とする主走査方向Ｘについての位置であり、以下、これを絶対位置ともいう。
【００４６】
［制御系］
プリント装置の制御系は、図６に示すように構成されている。つまり、受付ブロックＡの受付装置６は、マイクロプロセッサ（以下、ＣＰＵという）と、データバスを介してそのＣＰＵとの間で情報を送受信する、タッチパネル７、ディスプレイ８、半導体ドライブ９、ディスクドライブ１０、半導体メモリＲＡＭ／ＲＯＭ、ハードディスクＨＤ及び通信インタフェース６１とを備えている。受付装置６は、ＣＰＵの処理を実現するためのソフトウェアからなる、オペレーションシステム６２、画像処理システム６３及びプリンタドライバ６４をさらに備えている。また、受付装置６は、フラットベッドスキャナＦＳとの間で情報を送受信する入出力系を構成し、さらに、通信インタフェース６１を介してプリントブロックとの間で情報を送受信する信号系を構成している。
【００４７】
プリントブロックＢは、マイクロプロセッサ（以下、ＣＰＵという）と、データバスを介してそのＣＰＵとの間で情報を相互に送受信する、搬送制御部６６、ヘッド制御部６７、半導体メモリＲＡＭ／ＲＯＭ、反射型センサＳ、カット位置センサ４１、インク貯留部Ｂｃにインクカートリッジ２３が存在するか否かを判別する着脱センサ６５及び通信インタフェース６８とを備えている。プリントブロックＢは、ＣＰＵの処理を実現するためのソフトウェアからなる、プリント制御部６９、調整用画像作成部７１、ペーパ位置検出部７２、画像位置検出部７３及び搬送ずれ量検出部７４をさらに備えている。
【００４８】
搬送制御部６６は、ペーパ搬送機構の各ユニットＵ１，Ｕ２，Ｕ３，Ｕ４，Ｕ５，Ｕ６夫々の制御を行うためのものである。ヘッド制御部６７はプリントヘッドＨの作動制御を行うものである。プリント制御部６９は、受付ブロックＡから送られる画像データに基づいて、前記ヘッド制御部６７と協働してプリントペーパＰ１に画像を印刷する際の制御を行うものであり、例えば、画像データにおけるいずれの部分を第１〜第３ヘッドユニット５１ａ〜５１ｃのいずれにて画像形成させるかの割り振りを行う。
【００４９】
また、調整用画像作成部７１、ペーパ位置検出部７２、画像位置検出部７３及び搬送ずれ量検出部７４は、以下に詳述するように、プリント装置の出荷時等にプリントペーパＰ１の搬送状態、つまり、搬送されるプリントペーパＰ１の斜行や蛇行をチェックするための搬送テストを行うものである。
【００５０】
すなわち、上述のようなペーパ搬送機構においては、供給ユニットＵ１のペーパマガジン２１から引き出したプリントペーパＰ１を搬送するために多数のローラを用いており、これらのローラそれぞれに僅かながら位置ずれがあり、また、それらローラやガイド部材等の間にも相互に位置ずれがあることから、プリントペーパＰ１が本来の搬送方向からずれて、全体として徐々にペーパ幅方向の一側に片寄ったり（斜行）、或いは、搬送中のプリントペーパＰ１の一部が局所的に傾いたり片寄ったりして、その後に元に戻ってしまうこと（蛇行）がある。
【００５１】
そして、そのようにプリントペーパＰ１が斜行すると、その上に印刷される画像が歪むことになるし、例えばプリントユニットＵ２のプリント搬送ローラ３１ａ，…３１ｂ，…に位置ずれや圧力の偏りがあると、ちょうど画像の形成が行われる部位でペーパが蛇行することから、この場合も印刷画像の一部に歪みを生じることになる。こうなると、その歪み自体は目視で認められるものではなくても、粒状性等、画像の風合いが変化してしまい、画像品質が損なわれる。
【００５２】
このような問題に対し、この実施形態のプリント装置では、出荷時等に所定の調整用パターンＡＰを印刷し、この印刷されたパターンＡＰ画像の歪みから搬送時のプリントペーパＰ１の斜行や蛇行を定量的に検出して、これに応じて搬送機構の微調整を行うようにしている。
【００５３】
そのための具体的な構成として、まず、前記調整用画像作成部７１は、予め設定された調整用画像データに基づいてプリントヘッドＨの作動を制御し、プリントペーパＰ１上に図７に一例を示すような帯状の調整用パターンＡＰを印刷させるものである。この調整用パターンＡＰは、図示の如くプリントペーパＰ１の搬送方向に真っ直ぐに延びるものであるが、印刷搬送時にプリントペーパＰ１が蛇行すると、そのことによって図に誇張して示すように歪みが生じる。
【００５４】
そして、前記歪んだ調整用パターンＡＰの画像データ（図に仮想線で示す）に対する歪みの大きさ、すなわち、例えば図の上下方向（搬送方向）に離れた２点Ａ，Ｂ間のペーパ幅方向の位置偏差ΔＸは、略そのまま当該２点Ａ，Ｂ間におけるプリントペーパＰ１の幅方向への位置ずれ量を表すものとなる。尚、実際にプリントペーパＰ１の蛇行によって生じる画像の歪みは、通常は目視にて認識するのが難しいくらい小さなものである。
【００５５】
前記のような調整用パターンＡＰの歪みを検出するために、ペーパ位置検出部７２及び画像位置検出部７３は、それぞれ、調整用パターンＡＰを印刷するためのプリントヘッドＨの走査を利用して、これと一体のセンサＳによりプリントペーパＰ１を走査する。そして、ペーパ位置検出部７２がセンサＳからの信号に基づいてプリントペーパＰ１の幅方向の中心位置（絶対位置）を検出する一方、画像位置検出部７３は、同様にセンサＳからの信号に基づいて調整用パターンＡＰのペーパ幅方向の中心位置（絶対位置）を検出し、さらに、その検出位置と前記プリントペーパＰ１の中心位置とに基づいて、調整用パターンＡＰのプリントペーパＰ１に対するペーパ幅方向の相対位置を検出する。
【００５６】
これにより、前記画像位置検出部７３において、調整用パターンＡＰの先頭（搬送方向前端部）から最後尾（搬送方向後端部）に亘り、プリントペーパＰ１の送り量に対応する略一定の間隔で、当該プリントペーパＰ１に対する調整用パターンＡＰのペーパ幅方向の位置を検出することができる。
【００５７】
そうして先頭から最後尾に亘って一定間隔で検出した調整用パターンＡＰの位置がペーパ幅方向に相互にずれているとき、即ち、プリントペーパＰ１の蛇行によって印刷画像が歪んでいるときには、その歪みの大きさ（画像位置検出部７３により検出された画像位置のずれ量）に基づいて、前記搬送ずれ量検出部７４が、プリントペーパＰ１の蛇行量を検出する。また、搬送ずれ量検出部７４は、ペーパ位置検出部７２によるプリントペーパ位置の検出結果に基づいて、その搬送時の斜行量を検出するものである。
【００５８】
［ペーパの斜行・蛇行検出］
次に、ペーパ搬送機構の微調整のために、プリントペーパＰ１の搬送に伴う位置ずれ、即ち斜行及び蛇行を定量的に検出する手順を、主に図８のフローチャートに基づいて具体的に説明する。
【００５９】
まず、図示のフローのスタート後のステップＳ１でプリント装置の２つのマガジン収容部Ｂａ，Ｂａのうちいずれか一方が選択されれば（以下、下側のマガジン収容部Ｂａが選択された場合について説明する）、ステップ２に進んで反射型センサＳの感度校正を実行する。このセンサＳの感度校正が正常に終了すれば（ステップＳ３でＹＥＳ）、ステップＳ４に進んで、プリントペーパＰ１に調整用パターンＡＰを印刷するとともに、この印刷のためのプリントヘッドＨの主走査方向Ｘへの往復移動（走査）を利用して、センサＳによるプリントペーパＰ１及び調整用パターンＡＰの走査を行う。
【００６０】
すなわち、プリントヘッドＨをガイドレール２８に沿って概略フルストロークで往復移動させ、その１回の往復移動（１パス）毎にセンサＳからの信号を取得する。このとき、センサＳからの信号出力は、プリントペーパＰ１の左右両端部においてそれぞれ大きく変化するとともに、該プリントペーパＰ１上の調整用パターンＡＰの左右両端部においてもそれぞれ大きく変化する。
【００６１】
そこで、ステップＳ５において、前記プリントヘッドＨの１パス毎に、前記のようなセンサＳの信号出力の変化と、これを検出したときのセンサの位置、即ちプリントヘッドＨの位相位置とによって、プリントペーパＰ１及び調整用パターンＡＰの左右両端エッジの位置（ペーパ保持部Ｄの案内プレート３２上面を基準とする絶対位置）をそれぞれ検出する。これによりプリントペーパＰ１及び調整用パターンＡＰの幅方向中心位置（絶対位置）をそれぞれ求め、さらに、プリントペーパＰ１に対する調整用パターンＡＰの相対位置を求めて、記憶する。
【００６２】
そのように、調整用パターンＡＰの印刷のためのプリントヘッドＨの走査を利用して、同時にセンサＳの走査を行うということは、調整用パターンＡＰの相対位置の検出をプリントペーパＰ１の１回の送り毎に行うということである。このことから、該調整用パターンＡＰのプリントペーパＰ１に対するペーパ幅方向位置の検出を、該プリントペーパＰ１の搬送方向について十分に細かな間隔で行うことができ、プリントシートＰ１の蛇行を漏らさず検出することができる。しかも、調整用パターンＡＰ１の印刷が終了するのと概ね同じ時期に位置検出も完了できる。
【００６３】
前記ステップＳ５に続くステップＳ６では、調整用パターンＡＰの先頭に対応するプリントペーパＰ１の前端側の中心位置（絶対位置）を記憶する。そして、続くステップＳ７において、調整用パターンＡＰの先頭から最後尾までの印刷及びセンサ走査が完了したかどうか判定する。この判定がＮＯで印刷及びセンサ走査が完了していなければ、前記ステップＳ４にリターンして、前記のステップＳ４，Ｓ５の手順を繰り返す一方、印刷及びセンサ走査が完了すれば（ステップＳ７でＹＥＳ）、ステップＳ８に進んで、調整用パターンＡＰの最後尾に対応するプリントペーパＰ１の後端側の中心位置（絶対位置）を記憶する。
【００６４】
続いて、ステップＳ９において、前記ステップＳ６，Ｓ８でそれぞれ記憶したプリントペーパＰ１の前端側及び後端側の中心位置の偏差と、それらの搬送方向の距離（調整用画像パターンＡＰの長さ）とに基づいて、プリントペーパＰ１の斜行量を検出する。また、ステップＳ１０では、前記ステップＳ５において調整用パターンＡＰの先頭から最後尾までに亘って検出し記憶した該調整用パターンＡＰの位置の相互の偏差に基づいて、言い換えれば、印刷された調整用パターンＡＰの歪みに基づいて、プリントペーパＰ１の蛇行量を検出する。そして、ステップＳ１１において、プリントペーパＰ１の斜行量及び蛇行量をそれぞれディスプレイ８等に表示して、しかる後に制御終了となる（エンド）。
【００６５】
前記図８に示すフローのステップＳ４においてプリントペーパＰ１に調整用パターンＡＰを印刷する手順が、調整用画像作成部７１に対応している。また、同時に、印刷された調整用パターンＡＰをセンサＳにより走査し、ステップＳ５においてプリントペーパＰ１の絶対位置とこれに対する該調整用パターンＡＰの相対位置とをそれぞれ検出する手順が、ペーパ位置検出部７２及び画像位置検出部７３に対応している。
【００６６】
さらに、前記画像位置検出部７３による調整用パターンＡＰの相対位置の検出が該調整用パターンＡＰの先頭から最後尾まで繰り返し行われた後に、そうして検出された調整用パターンＡＰの歪みの大きさに基づいて、ステップＳ１０においてプリントペーパＰ１の蛇行量を検出する手順が、搬送ずれ量検出部７４に対応している。
【００６７】
また、前記ステップＳ５にて検出したプリントペーパＰ１の前端側及び後端側の幅方向中心位置をそれぞれステップＳ６，Ｓ８で記憶する手順が、センサＳからの信号に基づいて、所定の搬送期間を空けて少なくとも２回、プリントペーパＰ１の位置を検出するプリントシート位置検出手段に対応しており、前記搬送ずれ量検出部７４は、そうして検出されたプリントペーパＰ１の位置のずれ量に基づいて、その斜行量を検出するようになっている。
【００６８】
したがって、この実施形態のインクジェット式プリント装置においてペーパ搬送機構の調整を行うときには、まず、所定の操作を行うだけで、供給ユニットＵ１のペーパマガジン２１から引き出されたプリントペーパＰ１がプリントユニットＵ２に搬送されて、プリントヘッドＨの走査によって調整用パターンＡＰが印刷されるとともに、そのプリントヘッドＨに一体に配設されたセンサＳにより、プリントペーパＰ１及び調整用パターンＡＰの走査が行われる。
【００６９】
そして、前記センサＳからの信号により、プリントペーパＰ１上に印刷された調整用パターンＡＰの先頭から最後尾までに亘って、該プリントペーパＰ１の１回の送り量毎に該調整用パターンＡＰのペーパ幅方向の位置（相対位置）が検出され、その検出位置相互の偏差に基づいて、即ち調整用パターンＡＰの画像データに対する歪みの大きさに基づいて、プリントペーパＰ１の蛇行量が定量的に検出される。
【００７０】
その際、調整用パターンＡＰをペーパ搬送方向に直線的に延びるものとしているので、前記の如くペーパ送り量毎に多数、検出した調整用パターンＡＰの検出位置の間に偏差があれば、この偏差量が略そのまま、その２つの検出位置間におけるプリントペーパＰ１の幅方向への位置ずれ量を表すものとなり、それ故にプリントペーパＰ１の蛇行量を容易に検出することができる。
【００７１】
また、前記調整用パターンＡＰの走査をプリントペーパＰ１の１回の送り量毎に行うようにしているので、例えばローラの位置ずれや圧力むらによってプリントペーパＰ１が蛇行するときには、このことを漏らさず検出することができる。
【００７２】
さらに、この実施形態では、プリントペーパＰ１の前端側及び後端側でそれぞれ検出したペーパ幅方向位置の偏差に基づいて、該プリントペーパＰ１の斜行量を検出することができる。
【００７３】
そして、そうして印刷搬送時のプリントペーパＰ１の斜行量や蛇行量が定量的に検出できれば、これに基づいて搬送機構の調整を比較的容易に且つ正確に行うことができる。
【００７４】
なお、本発明の構成は、前記実施形態の構成に限定されず、その精神又は主要な特徴から逸脱することなく他の色々な形態で実施することができる。すなわち、例えば、前記実施形態では、調整用パターンＡＰをプリントペーパＰ１の搬送方向に直線的に延びるものとしているが、これに限らず、種々の形状とすることができる。但し、その場合には、前記実施形態のように、ペーパ搬送方向に離れた位置検出点間のペーパ幅方向の位置偏差に基づいてプリントペーパＰ１の搬送に伴う位置ずれ量を検出することはできず、印刷画像の各点相互の位置関係を基の画像データにおいて対応する各点相互の位置関係と対比して、その位置関係の変化からプリントペーパＰ１の位置ずれ量を求めることになる。
【００７５】
また、前記実施形態では、プリントヘッドＨにセンサＳを配設して、プリントペーパＰ１の１回の送り量毎に調整用パターンＡＰのペーパ幅方向位置を検出するようにしているが、これに限らず、もう少し大きな間隔を空けて位置検出を行うようにしてもよいし、プリントヘッドＨ以外にセンサＳを配設してもよい。
【００７６】
また、前記実施形態のプリント装置では、検出されたプリントペーパＰ１の斜行量、蛇行量に応じて、作業者がペーパ搬送機構の位置ずれ等を調整する必要があるが、例えば、プリント搬送ローラ３１ａ，…，３１ｂ，…の位置をアクチュエータにより調整可能な構成として（搬送機構調整手段）、前記のように検出されたプリントペーパＰ１の蛇行量に応じて、搬送ローラ３１ａ，…，３１ｂ，…の位置を自動で調整するようにしてもよい。
【図面の簡単な説明】
【００７７】
【図１】プリントシステムの全体を示す斜視図である。
【図２】プリントブロックの斜視図である。
【図３】プリントブロックのプリントペーパの搬送系を示す図である。
【図４】プリントユニットの斜視図である。
【図５】プリントユニットのプリントヘッドの構成を示す底面図である。
【図６】プリントシステムの制御系を示すブロック図である。
【図７】プリントペーパの蛇行による調整用パターンの歪みの説明図である。
【図８】プリントペーパの斜行・蛇行量検出処理に係るフローチャートである。
【符号の説明】
【００７８】
７１  調整用画像作成部（調整用画像作成手段）
７２  ペーパ位置検出部（プリントシート位置検出手段、画像位置検出手段）
７３  画像位置検出部（画像位置検出手段）
７４  搬送ずれ量検出部（搬送ずれ量検出手段）
ＡＰ  調整用パターン（調整用画像）
Ｈ    プリントヘッド
Ｐ１，Ｐ２    プリントペーパ（プリントシート）
Ｓ    反射型センサ（センサ）
Ｘ    主走査方向（シート幅方向）
Ｙ    副走査方向（搬送方向）
【図１】
2005335889.tif 000003
【図２】
2005335889.tif 000004
【図３】
2005335889.tif 000005
【図４】
2005335889.tif 000006
【図５】
2005335889.tif 000007
【図６】
2005335889.tif 000008
【図７】
2005335889.tif 000009
【図８】
2005335889.tif 000010